【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
ビュー間残差予測処理を使用してビデオデータを復号する方法であって、前記ビュー間残差処理は、
時間的動きベクトルによって示される時間的参照ブロックの、ビデオデータの現在のブロックに対する位置を決定することと、ここで、前記現在のブロックおよび前記時間的参照ブロックは、ビデオデータの第１のレイヤに位置し、
前記現在のブロックの視差ベクトルによって示される再構築されたビデオデータの視差参照ブロックの位置を決定することと、ここで、前記視差参照ブロックは第２の異なるレイヤに位置し、
前記時間的動きベクトルと前記視差ベクトルの組合せによって示される前記視差参照ブロックの時間的視差参照ブロックを決定することと、
前記視差参照ブロックと前記時間的視差参照ブロックとの差に基づいて、残差予測子を決定することと、
前記時間的参照ブロックと、前記残差予測子とに基づいて、前記現在のブロックを復号することと、
を備え、
ここで、前記視差参照ブロックの前記位置を決定することは、双線形フィルタを備える第１のタイプの補間によって前記視差参照ブロックの前記位置を補間することを備える、方法。
【請求項２】
ビュー間残差予測処理を使用してビデオデータを符号化する方法であって、前記ビュー間残差処理は、
時間的動きベクトルによって示される時間的参照ブロックの、ビデオデータの現在のブロックに対する位置を決定することと、ここで、前記現在のブロックおよび前記時間的参照ブロックは、ビデオデータの第１のレイヤに位置し、
前記現在のブロックの視差ベクトルによって示される再構築されたビデオデータの視差参照ブロックの位置を決定することと、ここで、前記視差参照ブロックは第２の異なるレイヤに位置し、
前記時間的動きベクトルと前記視差ベクトルの組合せによって示される前記視差参照ブロックの時間的視差参照ブロックを決定することと、
前記視差参照ブロックと前記時間的視差参照ブロックとの差に基づいて、残差予測子を決定することと、
前記時間的参照ブロックと、前記残差予測子とに基づいて、前記現在のブロックを符号化することと、
を備え、
ここで、前記視差参照ブロックの前記位置を決定することは、双線形フィルタを備える第１のタイプの補間によって前記視差参照ブロックの前記位置を補間することを備える、方法。
【請求項３】
前記視差参照ブロックはルーマ成分および２つのクロマ成分と関連付けられ、前記第１のタイプの補間によって前記視差参照ブロックの前記位置を補間することは、前記ルーマブロックと前記２つのクロマ成分の各々の前記位置を補間することを備える、請求項１または２に記載の方法。
【請求項４】
前記視差参照ブロックはルーマ成分および２つのクロマ成分と関連付けられ、前記第１のタイプの補間によって前記視差参照ブロックの前記位置を補間することは、前記ルーマ成分と前記２つのクロマ成分とのうちの一方の前記位置を補間することを備え、さらに、第２のタイプの補間によって前記ルーマ成分と前記２つのクロマ成分とのうちの他方の前記位置を補間することを備える、請求項１または２に記載の方法。
【請求項５】
前記時間的参照ブロックの前記位置を決定することは、第２のタイプの補間によって、前記時間的参照ブロックの前記位置を補間することを備え、前記第１のタイプの補間は前記第２のタイプの補間と異なり、前記第２のタイプの補間によって補間することは、前記時間的参照ブロックのルーマ成分に対して８タップのフィルタを、前記時間的参照ブロックのクロマ成分に対して４タップのフィルタを適用することを備える、請求項１または２に記載の方法。
【請求項６】
データの前記第１のレイヤはビデオデータの第１のビューを備え、ビデオデータの前記第２のレイヤはビデオデータの第２のビューを備える、請求項１または２に記載の方法。
【請求項７】
前記時間的視差参照ブロックを決定することはさらに、前記第１のタイプの補間によって、前記視差参照ブロックに対して、前記時間的動きベクトルによって示される前記時間的視差参照ブロックの位置を補間することを備える、請求項１または２に記載の方法。
【請求項８】
前記時間的視差参照ブロックはルーマ成分および２つのクロマ成分と関連付けられ、前記第１のタイプの補間によって前記視差参照ブロックの前記位置を補間することは、前記ルーマブロックと前記２つのクロマ成分の各々の前記位置を補間することを備える、請求項７に記載の方法。
【請求項９】
前記時間的視差参照ブロックはルーマ成分および２つのクロマ成分と関連付けられ、前記第１のタイプの補間によって前記時間的視差参照ブロックの前記位置を補間することは、前記ルーマ成分と前記２つのクロマ成分とのうちの一方の前記位置を補間することを備え、さらに、第２のタイプの補間によって前記ルーマ成分と前記２つのクロマ成分とのうちの他方の前記位置を補間することを備える、請求項７に記載の方法。
【請求項１０】
前記時間的参照ブロックの前記位置を決定することは、前記第１のタイプの補間によって前記時間的参照ブロックの前記位置を補間することを備える、請求項１または２に記載の方法。
【請求項１１】
ビデオデータを復号するための装置であって、
時間的動きベクトルによって示される時間的参照ブロックの、ビデオデータの現在のブロックに対する位置を決定するための手段と、ここで、前記現在のブロックおよび前記時間的参照ブロックは、ビデオデータの第１のレイヤに位置し、
前記現在のブロックの視差ベクトルによって示される視差参照ブロックの位置を決定するための手段と、ここで、前記視差参照ブロックは第２の異なるレイヤに位置し、第１のタイプの補間は双線形フィルタを備え、
前記時間的動きベクトルと前記視差ベクトルの組合せによって示される前記視差参照ブロックの時間的視差参照ブロックを決定するための手段と、
前記視差参照ブロックと前記時間的視差参照ブロックとの差に基づいて、残差予測子を決定するための手段と、
前記時間的参照ブロックと、前記残差予測子とに基づいて、前記現在のブロックを復号するための手段と、
を備え、
ここで、前記視差参照ブロックの前記位置を決定するための前記手段は、双線形フィルタを備える第１のタイプの補間によって前記視差参照ブロックの前記位置を補間するための手段を備える、装置。
【請求項１２】
ビデオデータを符号化するための装置であって、
時間的動きベクトルによって示される時間的参照ブロックの、ビデオデータの現在のブロックに対する位置を決定するための手段と、ここで、前記現在のブロックおよび前記時間的参照ブロックは、ビデオデータの第１のレイヤに位置し、
前記現在のブロックの視差ベクトルによって示される視差参照ブロックの位置を決定するための手段と、ここで、前記視差参照ブロックは第２の異なるレイヤに位置し、第１のタイプの補間は双線形フィルタを備え、
前記時間的動きベクトルと前記視差ベクトルの組合せによって示される前記視差参照ブロックの時間的視差参照ブロックを決定するための手段と、
前記視差参照ブロックと前記時間的視差参照ブロックとの差に基づいて、残差予測子を決定するための手段と、
前記時間的参照ブロックと、前記残差予測子とに基づいて、前記現在のブロックを符号化するための手段と、
を備え、
ここで、前記視差参照ブロックの前記位置を決定するための前記手段は、双線形フィルタを備える第１のタイプの補間によって前記視差参照ブロックの前記位置を補間するための手段を備える、装置。
【請求項１３】
前記現在のブロックを復号するための前記手段は、
符号化されたビットストリームから、前記現在のブロックに対する最終的な残差を示すデータを取得するための手段と、
前記視差参照ブロックと前記時間的視差参照ブロックとの差に基づいて、残差予測子を決定するための手段と、
前記最終的な残差、前記残差予測子、および前記時間的参照ブロックの組合せに基づいて、前記現在のブロックを再構築するための手段と
を備える、請求項１１に記載の装置。
【請求項１４】
前記現在のブロックを符号化するための前記手段は、
前記現在のブロックと前記時間的参照ブロックとの差を備える第１の残差を決定するための手段と、
前記視差参照ブロックと前記時間的視差参照ブロックとの差を備える残差予測子を決定するための手段と、
前記第１の残差と前記残差予測子との差に基づいて、最終的な残差を決定するための手段と、
前記最終的な残差を示すデータをビットストリームの中に符号化するための手段と
を備える、請求項１２に記載の装置。
【請求項１５】
実行されると、１つまたは複数のプロセッサに、請求項１乃至１０のいずれかに従った方法を行わせる、命令が記憶された非一時的コンピュータ可読媒体。